(57)【特許請求の範囲】
【請求項１】
アセンブリであって、
‐  水及び／又は化粧品組成物が施与されているところの髪の房（２０）に沿って動かされるべき直毛化アイロン（５）、および
‐  髪上の水及び／又は化粧品組成物の存在の故に髪上での該直毛化アイロンの動きの間に生成された液体または泡状の流出物を集めるように、該直毛化アイロン（５）に結合された収集具（７）、
を備え、該収集具は該流出物を受け取るための容器（９）を有している、
上記アセンブリ。
【請求項２】
該収集具（７）は、取外し可能な仕方で該直毛化アイロンに固定されている、請求項１に記載のアセンブリ。
【請求項３】
該収集具（７）は、永続的な仕方で該直毛化アイロンに固定されている、請求項１に記載のアセンブリ。
【請求項４】
該流出物が通り抜ける格子（１１）が、該容器（９）上に置かれている、請求項１〜３のいずれか１項に記載のアセンブリ。
【請求項５】
該格子（１１）が、取外し可能な仕方で該容器上に置かれている、請求項４に記載のアセンブリ。
【請求項６】
該格子（１１）は、穴（１２）を有し、該穴（１２）の最大寸法は１０ｍｍ以下である、請求項４又は５に記載のアセンブリ。
【請求項７】
該収集具は、少なくとも２つの異なる直毛化アイロン（５）に適合するように調節可能であるところの、該直毛化アイロンを固定するためのシステム（１６）を有している、請求項１〜６のいずれか１項に記載のアセンブリ。
【請求項８】
該直毛化アイロンは加熱用プレート（２４）を有し、且つ該収集具（７）は、少なくとも部分的に該加熱用プレートに沿って置かれている、請求項１〜７のいずれか１項に記載のアセンブリ。
【請求項９】
該収集具は、摺動によって該直毛化アイロンに固定されるように構成されている、請求項１〜８のいずれか１項に記載のアセンブリ。
【請求項１０】
該収集具は、スナップ留めによって該直毛化アイロンに固定されるように、構成されている、請求項１〜８のいずれか１項に記載のアセンブリ。
【請求項１１】
該収集具は、ねじ留めにより該直毛化アイロンに固定されるように構成されている、請求項１〜８のいずれか１項に記載のアセンブリ。
【請求項１２】
該収集具は、閉じうるクランプ部材の助けによって、該直毛化アイロンに固定されるように構成されている、請求項１〜７のいずれか１項に記載のアセンブリ。
【請求項１３】
該収集具（７）の該容器（９）は、５〜２０ｍｌの間の容積を有する、請求項１〜１２のいずれか１項に記載のアセンブリ。
【請求項１４】
該容器は、該流出物に対する障壁を形成し且つ該直毛化アイロン（５）と保持部材（１４）の間に延在する少なくとも１つの開口（１２）を通して該流出物を該容器内へ流させるところの保持部材（１４）を実装されている、請求項１〜１３のいずれか１項に記載のアセンブリ。
【請求項１５】
該保持部材（１４）は、該直毛化アイロンの髪上での動きの方向に対して横方向に延在するストリップを備えている、請求項１４に記載のアセンブリ。
【請求項１６】
該収集具（７）は、左利きまたは右利きの人によって該直毛化アイロン（５）が用いられるように、該直毛化アイロン（５）の１つの側または他方の側のどちらかに固定されるように構成されている、請求項１〜１５のいずれか１項に記載のアセンブリ。
【請求項１７】
請求項１〜１６のいずれか１項に記載のアセンブリの助けによって髪を手入れするための化粧方法であって、
‐  水及び／又は化粧品組成物を髪へ施与すること、
‐  髪上で該直毛化アイロンを通過させること、および
‐  髪上の水及び／又は化粧品組成物の存在と該直毛化アイロンの通過とによる流体の流出物を、該直毛化アイロンに結合された該収集具の助けで収集すること、
を含んでいる、
上記方法。
【請求項１８】
水及び／又は化粧品組成物を髪へ施与することが、該直毛化アイロンを該髪上で通過させることとは独立して実行される、請求項１７に記載の髪を手入れするための方法。
【請求項１９】
該直毛化アイロンは、少なくとも１つの加熱用プレートを備え、該アイロンの髪に沿う通過は、以前に髪へ施与された該化粧品組成物の化合物の溶融からもたらされる流出物を生じさせる、請求項１７または１８に記載の髪を手入れするための方法。
【請求項２０】
該収集具は、該直毛化アイロンの髪の房上での動きの方向に相対的に該加熱用プレートの下流に置かれる、請求項１７〜１９のいずれか１項に記載の髪を手入れするための方法。
【発明の詳細な説明】
【技術分野】
【０００１】
本発明は、髪を手入れするための道具およびそのアクセサリに関し、そしてより特にしかし排他的にではなく、髪の形を整えること、特に髪を真っ直ぐにし、カールし、又はクリンプすることを意図されたものに関する。
【０００２】
本発明は、より特には整髪用具、および該整髪用具が髪を梳く時に整髪用具により生み出されうる流出物を集める機能を有する収集具を備えるアセンブリに関する。
【背景技術】
【０００３】
専門家または消費者による髪の取扱いの範囲内において、髪の長さ方向に沿って移動されるべき用具を用いることは公知である。該用具の通過の間、使用者は、余分の水または化粧製品を髪から取り除く必要があるかもしれない。
【０００４】
水及び／又は化粧製品で濡らされた髪に直毛化アイロンを通過させることは、特に水及び／又は化粧製品の望ましくない流出を引き起こしうる。
【０００５】
特に、スタイリストが髪を濡らすために製品を施与し、その後この髪に直毛化アイロンを通過させる、専門的なケアサービスが存在する。直毛化アイロンを通過させる間、該製品は融け、そして髪を絞るところの該アイロンの把持部の圧力によって髪の房に運ばれる。これは、直毛化アイロンに沿い且つ髪の房の端でのかなりの流れをもたらし、これらは汚れを引き起こし、これは特に問題である。なぜなら化粧用髪製品のなかには酸化剤または刺激性のものもあるからである。
【発明の概要】
【発明が解決しようとする課題】
【０００６】
このように、整髪用具で髪を梳くことに伴う流出物を集めて、手入れ中の人に対して、この動作をクリーンにし且つ手入れを行なう人にリスクを無くすようにする必要性が存在する。
【課題を解決するための手段】
【０００７】
本発明はこの必要性を満たすことを目的にし、そしてその主題は、その局面の第１に従うと、アセンブリであって
‐  水及び／又は化粧品組成物が施与されているところの髪の房に沿って動かされるべき整髪用具、特に直毛化アイロン、および
‐  髪上の水及び／又は化粧品組成物の存在の故に、髪上での該直毛化アイロンの動きの間に生成された流出物を集めるように、該直毛化アイロンに結合された収集具を備え、該収集具は該流出物を受け取るための容器（９）を有している。
【０００８】
「流出物」という用語は、流体の放出、すなわち、髪からの液体または例えば泡状物質、特に整髪用具が髪を梳くときに該整髪用具によって生み出された絞る圧力及び／又は熱の影響下でのそれ、を意味すると理解されるべきである。
【０００９】
「化粧品組成物」という用語は、髪の繊維を手入れすることを意図された任意の化粧製品を意味すると理解されるべきである。この組成物は、髪に施与される前は、液体、固体またはペースト状態でありうる。
【００１０】
収集具は、該収集具を該整髪用具へ永続的に留めるように設計された固定用システムを備えうる。１の別の実施態様において、それはまた有利的に、取り外し可能な留め、並びに該収集具を該整髪用具に容易に留めること及びそれを容易に取り外すことの可能性、且つ好ましくは左利きの人及び右利きの人に満足を与える仕方でこれらをおこなうことを許容し得る。永続的な留めの場合に、該収集具の全てまたは部分が、該整髪用具の一部と一体化して作られうる、特に、成形されうる。例えば、該容器の少なくとも１つの壁は、該整髪用具の把持部のまたは１つの顎部の一部分と一緒に成形される。
【００１１】
該収集具を整髪用具に固定するためのシステムは、以下：
‐  摺動、
‐  スナップ留め
‐  ねじ留め
‐  磁気吸引
‐  接着
‐  結合用ストラップ：フックおよびループを有し、特にVelcro（商標）タイプのもので、ペグ、ボタン掛け、押圧スタッド等による、
によって固定を確実にするよう設計されている。
【００１２】
これらの固定用手段は、組合せて用いられうる。例えば、摺動による固定は、止めねじのねじ留めまたは該収集部を該整髪用具上の所定の位置に固定するためのスナップ留めによって伴われる。固定は、例えば乗り越えるにはより大きな努力を必要とする硬い点を作り出すことによって実行されうる。
【００１３】
固定用システムは、特定の用具に、または様々なサイズ（即ち様々な長さ及び／又は幅及び／又は厚さ）の複数の用具にフィットするように設計されうる。例えば、直毛化アイロン、及びねじ止め又は結合用ストラップを有する固定用システムの場合に、該固定用システムは、該加熱用プレート又はそれが結合されるところの該アイロンの把持部の幅および厚さに依存して調節されうる。
【００１４】
把持部を有している整髪用具の場合に、固定用システムは、該把持部の軸に沿って置かれ得、または該把持部の軸に平行に延在させられうる。
【００１５】
有利的に、格子が該容器上に置かれる。該格子は、髪の房から来る該製品及び／又は水が該容器内に流れることを可能にし、そして使用後に、該集められた流体が偶然にこぼれるのを防ぐ。この格子は、好ましくは該収集具をより容易に清浄にするように取り外しうる。
【００１６】
該格子は、流出物が、偶然に外に戻りうることなしに該容器内へ容易に通ることを可能にするところの穴を備える。該穴の形状および寸法は、色々でありうる；それらは、流出物の粘度に依存して特に選択されうる。様々な穴の形状および寸法を有する幾つかの格子の組は、使用者が必要性に基づいて該格子を変えることを可能にするように備えられうる。例えば、流出物がより粘性であれば、該穴は、流出物が該格子を通り抜けるのをより容易にするようにより大きなサイズを持たねばならない。好ましくは、該穴の最大寸法は、８〜１２ｍｍの間、例えば約１０ｍｍであり、かつ該穴の繰り返しピッチは、例えば１〜２ｍｍである。
【００１７】
該格子は、該収集具の残部と同じ材料で作られ、または異なる材料で作られうる。該格子は、該容器と一体化して成形され、又は別個に製造されその後該容器に取り付けられうる。該格子は、スナップ留めによって該容器に固定されうる。
【００１８】
該格子は、該収集具を該整髪用具に固定することに関わるところの一部分、特にフレームの形状のものと接続され得、そしてそれは、もし適切であれば、該整髪用具の熱い部分と、特に加熱用プレートと接触しうる。
【００１９】
該格子は、該収集具を該整髪用具に、特に直毛化アイロンの加熱用プレートに固定することに関わるところの一部分を有している金属のシートから製作されうる。
【００２０】
上述のフレームに固定されたシールは、該加熱用プレートに対する封止を確実にすることが考えられる。
【００２１】
シールは、固定用システムとこれに対応する顎部との間の境界に、例えば該容器側に置かれた該顎部の側で該固定用システムに沿って、存在しうる。
【００２２】
該収集具はさらに保持部材を備え得、該保持部材は、もし格子が存在するならそれを通して流出物を該容器内へ導く。この保持部材は、該流体の流れる方向に対して横方向に指向された細長い片の形状に設計されうる。例えば、この細長い片は、該格子に対して数ミリメータだけ、好ましくは２〜１２ｍｍの間で立ち上がりうる。該保持部材は、髪上での該整髪用具の動きの方向に対して該容器の下流端の近くに置かれ得、従って該容器の開口は、上流の該整髪用具と下流の該保持部材の間に主として置かれる。
【００２３】
該保持部材は、該格子に固定され、またはそれと一緒に形成され、またはこの目的のために備えられたスロット内に挿入されうる。
【００２４】
該保持部材は、該容器の壁と一物体として成形されることによって作成されうる。この場合、任意的には、該格子は、該保持部材が通過する開口を有している。
【００２５】
該保持部材はまた、該格子と同一の材料から、例えば該格子を作るのに用いられた金属のシートを曲げることによって、機械加工によってまたは射出成形によって作成されうる。
【００２６】
該容器は、熱可塑性材料の成形により作られたシェルの部分によって画定されうる。このシェルは、直立部分を備え得、該直立部分は、該整髪用具の、該容器から離れる方向を向くその側にもたれかかる。この直立部分は、該整髪用具の下に延在するところのボタン部分によって該容器に接続されうる。このボタン部分は、上述の固定用システムの全部または一部分を支持しうる。該シェルは、該整髪用具上を摺動しうるように作られうる。
【００２７】
該容器は、好ましくは５〜２０ｍｌの容積を有している。
【００２８】
本発明は、髪の繊維を手入れするための方法における直毛化アイロンの場合に特に適しており、この間、手入れ製品は、該アイロンと接触している間に融かされる。
【００２９】
直毛化アイロンの場合に、該容器は、通過の方向の下流に置かれ、かつ該アイロンに沿って延在する。該収集具は好ましくは、該アイロンの底プレートに少なくとも部分的に固定される。流出物の全てをより容易に集めるために、該容器の長さは有利的に該加熱用プレートの長さよりも長い。
【００３０】
好ましくは、該容器内の開口は、長手方向に、該加熱用プレートの各側を、好ましくは０．２〜１０ｍｍだけ、より好ましくは０．５〜１０ｍｍだけ越えて延在している。該格子は、例えば、該加熱用プレートの各側に少なくとも１つの穴を有している。
【００３１】
該収集具は、一体として成形されることによって又は様々な要素から組み立てられることによって作成されうる。有利的に、該収集具は、衝撃、化粧製品（酸化剤、還元剤、アルカリ、酸）及び熱に抗するところの少なくとも１つの材料から作成されうる。
手入れ方法
【００３２】
本発明の別の課題は、本発明に従うアセンブリの助けによって髪を手入れするための方法であって、以下の工程；
‐  水及び／又は化粧品組成物を髪へ施与すること、
‐  該直毛化アイロンで髪を梳く、および
‐  髪上の水及び／又は化粧品組成物の存在と該直毛化アイロンの通過とによる流体の流出物を、該直毛化アイロンに結合された該収集具の助けで収集すること、
を含んでいる。
【００３３】
化粧品組成物または水を施与する工程は、該整髪用具の通過の工程とは独立に実行されうる。
【００３４】
加えて、熱による手入れは、該整髪用具の少なくとも１つの加熱用要素と髪の房とを接触させることによって有利的に実行され、それは例えば、接触の期間にわたり、以前に髪に施与された化粧製品を溶かすことを可能にするであろう。この溶融は、本発明に従う該収集具によって該容器内に収集されるであろう流出物を生成するであろう。そのような熱処理の１例は、本出願人の名によって仏国特許第FR 2910301号公報に記載されている。
【００３５】
本発明は、限定的でなく例示のための実施例に関する以下の詳細な記載を読み、添付された図面を検討するとより良く理解されうるであろう。
【図面の簡単な説明】
【００３６】
【図１】本発明に従うアセンブリの斜視図であり、該アセンブリは、格子および保持部材を装備された収集具と結合された整髪用具を備えている。
【図２】該収集具のみの斜視図である。
【図３】組立てられていない該格子および容器を伴う該収集具の斜視図である。
【図４】該容器のみの斜視図である。
【図５】該収集具の１実施態様の詳細な斜視図である。
【図６】使用中の本発明に従うアセンブリの斜視図である。
【図７】本発明に従う該収集具の該容器に搭載された該格子の１実施例の斜視図である。
【図８】本発明に従う該収集具の該容器に搭載された該格子の別の実施例の斜視図である。
【図９】本発明に従う該収集具の該容器に搭載された該格子の更に別の実施例の斜視図である。
【図１０】組立前の状態における図９の該収集具の該格子および該容器の斜視図である。
【図１１】該格子のみの１実施態様の詳細な斜視図である。
【図１２】搭載されている間の図９〜１１の該収集具の斜視図である。
【図１３】該収集具が結合用ストラップによって固定するためのシステムを備えている別の実施態様を示す斜視図である。
【図１４】図１３に示された実施態様を別の角度から見た斜視図である。
【図１５】該収集具がねじによって固定するためのシステムを備えている別の実施態様を示す側面図である。
【図１６】図１５に示された実施態様を別の角度から見た斜視図である。
【発明を実施するための形態】
【００３７】
図１は、本発明に従うアセンブリの一例を示しており、収集具７と結合された整髪用具５を備えている。
【００３８】
この例において、整髪用具５は、相互に旋回可能である下顎部２２および上顎部２３を備えた把持部の形状をした直毛化アイロンである。加熱用プレート２４は、下顎部２２により支持されている。把持部２５は、該用具５を保持することを可能にする。
【００３９】
収集具７は、成形材料により作られたシェル５５を備え、上記シェル５５は容器９を画定している。
【００４０】
シェル５５の一部分３０は、下顎部２２の下を通り、且つ該下顎部２２の、容器９から離れる方を向く側で立ち上がるところの直立部分１７によって終端される。
【００４１】
問題の該例において、外部から使用者がアクセスしうる親指ホイール５３によって回転が可能なボルト５１を備える固定用システム１６は、該整髪用具５上に収集具７を保持している。
【００４２】
ボルト５１は、上顎部から離れる方を向く側の下顎部２２上に存在するナットまたはねじ山と係合可能である。
【００４３】
問題の該例において、容器９は、穴１２を有する格子１１を実装され、該穴は、該用具５によって手入れをする間に髪の房から来る流出物が格子１１を通過し、且つその後、収集された流出物が不慮に戻って該容器９から出ることを防ぐことを可能にする。格子１１内の穴１２は、好ましくは、該容器の長さ方向に対し横に細長い形状を有している。穴１２は、例えば３〜５ｍｍの間の、例えば４ｍｍの幅ｌを有し、そして０．５〜２ｍｍの間の、例えば１ｍｍの間隔ｄだけ離して配置されている。
【００４４】
問題の該例において、収集具７は、流出物を容器９内に案内することを可能にする保持部材１４を備えている。
【００４５】
保持部材１４は、有利には、細長い片の形状であり、該細長い片は、容器９の長手方向に、格子１１の面に対して横方向に置かれ、かつ格子１１に対して、例えば８〜１２ｍｍ、特には１０ｍｍ立ち上がっている。
【００４６】
問題の該例において、保持部材１４は、この目的のためにそこに備えられたスロット５７により格子１１を通過する。上記スロット５７は、特に図３において見られうる。
【００４７】
この例において、保持部材１４は、容器９と一体化されている。なぜなら保持部材１４は、容器９と一物体として成形されているからである。
【００４８】
保持部材１４の長さは、直毛化アイロン５の加熱用プレート２４の長さに実質的に対応し、一方、格子１１は、有利的に少し長く、そして図５に示されたように、加熱用プレート２４の各側を超えて延在し、それにより、髪２０上の直毛化アイロン５の通過からもたらされる流出物の全てをより容易に収集することを可能にする。特に、少なくとも１つの穴１２は、その広がりにおいて保持部材１４の各端部を超えて存在しうる。
【００４９】
格子１１は、金属シートを切断及び曲げ加工することによって作成されえ、それをシェル５５に結合するのを助けるところのフレーム５６を伴っている。
【００５０】
このフレーム５６は、側面５８を格子１１から離れて有し得、該側面５８は、格子１１に向き合う直立部分１７のその面上に設けられた対応する浮き彫り１５と係合するスロット５９を有している。シール（図示されていない）は、加熱用プレートとフレーム５６の間に、例えばフレーム５６の内側周辺に配置されて置かれうる。
【００５１】
保持部材１４は、図４に示されたように、直立部分１７に面するところのその面上に歯６３を有し、そしてこれらの歯６３は、格子１１を容器９の適切な位置に保つようにスロット５７の上方に置かれうる。
【００５２】
収集具７を下顎部２２上へ搭載している間、下顎部２２は、容器９と直立部分１７の間に画定された空間６７内に収容され、フレーム５６は、加熱用プレートおよび下顎部の底部３０の周りに置かれる。
【００５３】
好ましくは、格子１１は、該格子１１が洗浄のために取り外されることを可能にするようにシェル５５に結合されている。
【００５４】
図６は、これまで記載されてきたものに類似の、本発明に従うアセンブリであって、使用中であるものを示している。髪の房２０に沿った方向Ｄへの整髪用具５の通過は、髪を絞り、そして収集具７によって整髪用具５の下流で集められる流出物２１をもたらす。流出物２１は、容器９に収集されるために格子１１内の穴１２を通過する。保持部材１４は、流出物２１を格子１１内の穴１２へ案内すること、そして、流出物が全部容器９に排出されるのにかかる又は該容器９が満たされるまでの時間の間に、余分の流出物の流れを防ぐことを可能にする。
【００５５】
図６において、収集具７は、直毛化アイロン５の下顎部２２の右側に固定され、使用者は、本発明に従うアセンブリを髪の房２０上を通過させるようにその左手を使う。
【００５６】
図７および８は、本発明に従う収集具７だけの２つの別の例を示し、それらの各々は、格子１１および保持部材１４を備えられている。
【００５７】
これらの例において、図１〜５の内のそれのような収集具７は、直毛化アイロンに結合される場合（これらの図は示されていない）においては、下顎部２２の加熱用プレートの周りに置かれるフレーム５６を有している。
【００５８】
図７において、格子１１内の穴１２は、該容器の長さ方向に対し横方向に細長い形状を有し、且つ単一の列に並べられている。
【００５９】
保持部材１４は、穴を有する格子１１のその部分の下流側の縁に置かれ、且つ図１〜５のようにそこから後退していない。
【００６０】
図８において、格子１１内の穴１２は三角形状を有し、その底辺は保持部材１４の傍に置かれ、且つその頂点は整髪用具５（図に示されていない）の傍に置かれる。
【００６１】
穴の多数の別の形状が、本発明の範囲から逸脱しないで可能である。
【００６２】
収集具７は、整髪用具の一方の側にまたは別の側に置かれることによって、左利き及び右利きの両者に使用されうるように、好ましくは中央対称面Ｐ（特に図７において見得る）を有している。こうして収集具７は、図１におけるように直毛化アイロンの左手側に搭載され、および図６における右手側に搭載される。
【００６３】
図９は、本発明に従う収集具７の別の実施態様を示し、その固定用システムは、摺動とスナップ留めによって動作する。該収集具７の底部分３０は、整髪用具の下顎部の下を通過する。口唇部３２および３３は、図１２に示されたように、この顎部の側縁に対するスナップ留めまたはこの顎部の側縁に沿う摺動を確実にする。
【００６４】
有利的に、可撓性接触点３４、例えば弾性的に変形可能なボタン若しくはペグが、該整髪用具に隣接する底部分３０内に置かれて、これに浮き彫りを適合させ、これは、摺動運動の終わりに圧力によって収集具７を下顎部２２に相対的に保持することを可能にする。
【００６５】
収集具７を取り外すためには、使用者が可撓性接触点３４を凹ませることによって、摺動運動を逆転させることで十分である。
【００６６】
図９〜１２の別の実施態様において、保持部材１４は、格子１１と一体化して作成され、もはやシェル５５に属さない。
【００６７】
シェル５５は、それにもかかわらず、格子１１の下方に内部隔壁６６を保持することができ、それは、該用具５の運動の間に、収集された物の偶発的流出のリスクを軽減する。シール（示されていない）は、顎部と口唇部３３の間に該顎部に沿って置かれうる。
【００６８】
図１３および１４は、収集具７の別の実施態様を示し、固定用システムは結合用ストラップ４１を用いている。
【００６９】
好ましくは弾性的に変形可能な材料から少なくとも部分的に作られている結合用ストラップ４１は、問題の例において、ボタン４３がその各々内に導入されうるところのボタンホール４２を実装している。該ボタンは、ボタンホール４２の寸法よりも僅かに大きな寸法を有する頭部を有し、対応するストラップが固定されることを確実にする。該ストラップ４１は、フレーム５６の１つの側４７へ固定される。
【００７０】
必要ならば、フレーム５６は、整髪用具５（図１３および１４には示されていない）に搭載されている間、弾性的に変形されることによって持ち上げられうる。
【００７１】
結合用ストラップ４１は、ボタンホールの助け以外の幾つかの別の仕方で、例えばVelcro（商標）ファスナーまたは自己接着または押圧スタッド留めによって、結合状態に維持されうる。
【００７２】
固定バンド４１の使用は、収集具７を素早く容易に固定し且つ取り外すことを有利的に可能にする。加えて、そのような固定用システムは、様々な形状、特に厚さを有している整髪用具に収集具７を固定できることを可能にする。
【００７３】
図１５および１６は、収集具７の別の実施態様を示し、固定用システムは、図１〜５を参照して記載されたものと類似の仕方において、ねじ入れで働く。
【００７４】
親指ホイール５３は、ボルト５１を上下に動かすことを可能にし、それにより、収集具７を整髪用具へ固定する。ボルト５１は、整髪用具内に設けられた対応するハウジング内に係合しうる。ボルト５１は、回転を妨げられるが、親指ホイール５３が回されるとき、収集具のシェル５５の延長部５９内を軸方向に動くことができる。
【００７５】
本発明は、整髪用具としての直毛化アイロンに限定されるものではない。該用具はまた
‐  該収集具がそれに固定されるところの櫛、
‐  髪のケア、整形、染色又は脱色のための器具、及び／又はそれらがそれらの通過の間に流出物をもたらす限りでの加熱をもたらす任意の装置、
でありうる。
【００７６】
「〜を備える」という表現は、「少なくとも１つの〜を備える」と同義である。
【符号の説明】
【００７７】
５        整髪用具
７        収集具
９        容器
１１        格子
１２        穴
１４        保持部材
１５        浮き彫り
１６        固定用システム
１７        直立部分
２０        髪
２１        流出物
２２        下顎部
２３        上顎部
２４        加熱用プレート
２５        把持部
３０        下顎部の一部分（底部）
３２、３３  口唇部
５１        ボルト
５３        親指ホイール
５５        シェル
５６        フレーム
５７        スロット
５８        側面
６３        歯
【図１】
0006595465.tif 000002
【図２】
0006595465.tif 000003
【図３】
0006595465.tif 000004
【図４】
0006595465.tif 000005
【図５】
0006595465.tif 000006
【図６】
0006595465.tif 000007
【図７】
0006595465.tif 000008
【図８】
0006595465.tif 000009
【図９】
0006595465.tif 000010
【図１０】
0006595465.tif 000011
【図１１】
0006595465.tif 000012
【図１２】
0006595465.tif 000013
【図１３】
0006595465.tif 000014
【図１４】
0006595465.tif 000015
【図１５】
0006595465.tif 000016
【図１６】
0006595465.tif 000017